(57)【要約】【課題】携帯端末装置において、十分な音量のスピーカを無理なく内蔵すると共に、そのスピーカの効果的な利用を実現すること。【解決手段】第１筐体（１０１ａ，４００ａ）と第２筐体（１０１ｂ，４００ｂ）が連結部３００を中心として相対的に回動可能であり、ユーザーが表示部（１１２ａ，６００）を見ることができる状態のときに、その表示部（１１２ａ，６００）の前方に音を発することができるスピーカ（１０７，５００）を、中空の連結部３００の内部に設ける。また、携帯端末装置の状態に応じて、スピーカとレシーバ（受話部）を切り替えて使用する。【選択図】      図１
2004201153.tif 000002
【特許請求の範囲】
【請求項１】
表示部をもつ第１筐体と、第２筐体と、前記第１筐体と第２筐体とを連結する連結部とを有し、前記連結部を中心として前記第１筐体および第２筐体が相対的に回動する携帯端末装置であって、
ユーザーが前記表示部を見ることができる状態のときに前記表示部の前方に音を発することができるスピーカを、前記連結部の内部に設けたことを特徴とする携帯端末装置。
【請求項２】
表面に表示部が設けられた第１筐体と、表面に操作部が設けられた第２筐体とが連結部により回動自在に連結され、前記いずれかの筐体が前記第１筐体の裏面の一部と前記第２筐体の一部との重なりを保ちつつ回動し、これによって、前記第１筐体と前記第２筐体とが重なって前記第１筐体の裏面が前記第２筐体の前記表面を覆っている閉状態から、前記第１筐体の裏面が前記第２筐体とが略直角となって前記第２筐体の前記操作部が露出された状態である第１１の開状態となり、さらに、前記第１筐体と第２筐体とが略直線状となって第２の開状態に至る開閉型の携帯端末装置であって、
前記連結部に、前記表示部の前方に音を発することができるスピーカを設けたことを特徴とする携帯端末装置。
【請求項３】
請求項２において、
前記連結部に、前記第２筐体の裏面の前方を撮像することが可能な撮像部を、さらに設けたことを特徴とする携帯端末装置。
【請求項４】
請求項２において、
前記第１の筐体の表面の、前記連結部とは反対側に位置する端部付近にレシーバを設けると共に、前記第１の開状態では、前記スピーカを介して音声を出力し、前記第２の開状態では、前記レシーバを介して音声を出力することを特徴とする携帯端末装置。
【発明の詳細な説明】
【０００１】
【発明の属する技術分野】
本発明は、携帯端末装置に関する。
【０００２】
【従来の技術】
例えば、携帯電話端末には、いわゆるハンズフリーモードを実現するためにスピーカが設けられているのが通常である。筐体の小型化、軽量化に伴い、スピーカの小型化、軽量化が求められる。
【０００３】
スピーカの小型化の要請に応えるためには、口径が小さく、振動版のストロークの短いスピーカを使用する必要があるが、この場合には、振動板前面の空気が振動する容積が減少して、音量が低下するのが通常である。
【０００４】
スピーカの良好な音響効果を確保するために、アンテナを備える携帯無線端末装置において、携帯無線端末装置の内部に音響ホーン通音構造を形成する技術が提案されている（特許文献１）。
【０００５】
【特許文献１】
特開２００２−４４１９９号公報
【０００６】
【発明が解決しようとする課題】
特許文献１に開示される技術は、高度な音響効果を実現することを意図しており、中空の音響ホーンを携帯無線端末装置の内部に形成する等、特殊な構造が必要である。よって、携帯端末のさらなる小型化、軽量化、低価格化を進展させる場合には、不都合が生じることもあり得る。
【０００７】
本発明の目的は、携帯端末装置において、十分な音量のスピーカを無理なく内蔵すると共に、そのスピーカの効果的な利用を実現することにある。
【０００８】
【課題を解決するための手段】
本発明の携帯端末装置は、表示部をもつ第１筐体と、第２筐体と、前記第１筐体と第２筐体とを連結する連結部とを有し、前記連結部を中心として前記第１筐体および第２筐体が相対的に回動する携帯端末装置であって、ユーザーが前記表示部を見ることができる状態のときに前記表示部の前方に音を発することができるスピーカを、前記連結部の内部に設けたことを特徴とする。
【０００９】
中空の連結部の内部にスピーカを設けることで、デッドスペースを利用して大きな容量のスピーカを無理なく設けることができる。また、ユーザーが表示部を見る場合には、ユーザーの顔が、表示部の前に位置することになるから、この状態で、スピーカから表示部の前方の方向に音声（あるいは着信音等の報知音）を発することにより、ユーザーは、明瞭な音声等を聞くことができる。
【００１０】
また、本発明の携帯端末装置の一態様は、表面に表示部が設けられた第１筐体と、表面に操作部が設けられた第２筐体とが連結部により回動自在に連結され、前記いずれかの筐体が前記第１筐体の裏面の一部と前記第２筐体の一部との重なりを保ちつつ回動し、これによって、前記第１筐体と前記第２筐体とが重なって前記第１筐体の裏面が前記第２筐体の前記表面を覆っている閉状態から、前記第１筐体の裏面が前記第２筐体とが略直角となって前記第２筐体の前記操作部が露出された状態である第１の開状態となり、さらに、前記第１筐体と第２筐体とが略直線状となって第２の開状態に至る開閉型の携帯端末装置であって、前記連結部に、前記表示部の前方に音を発することができるスピーカを設けたことを特徴とする。
【００１１】
これにより、開閉型の携帯端末装置に、無理なくスピーカを無理なく設けることができる。開閉型の携帯端末装置の場合、その構造上、連結部の長手方向が第１筐体と第２筐体の厚み方向と一致するため、各筐体の肉厚を合算した長さの空間を無理なく確保することができる。また、連結部の端部は、第１筐体の表面（および第２筐体の裏面）に露出することから、音声等を筐体正面の前方（あるいは後方）に出力するのに適している。さらに、開閉型の携帯端末装置がどのような状態であっても、表示部およびスピーカは、第１筐体の表面（第１筐体の正面の前方）に露出しており、常に、画像表示および音声等の出力が可能である。また、連結部は、閉じた状態における第１筐体（および第２筐体）の横幅のほぼ中央に位置しているため、ユーザーが表示部を見ている状態で、スピーカが前方に音を発すると、ユーザーの左右の耳にバランスよく届くという効果もある。
【００１２】
また、本発明の携帯端末装置の一態様では、前記連結部に、前記第２筐体の裏面の前方を撮像することが可能な撮像部を、さらに設けた構造を有する。
【００１３】
これにより、連結部の長手方向のデッドスペースを、さらに有効に利用することができる。撮像部の光学系として肉厚のレンズを使用することができ、高画質の画像撮影が可能となり、また、撮像部（の光学系）が第２筐体の裏面に常に露出しており、携帯端末装置の状態にかかわりなく撮像が可能となる。
【００１４】
また、本発明の（開閉型の）携帯端末装置の一態様では、前記第１の筐体の表面の、前記連結部とは反対側に位置する端部付近にレシーバを設けると共に、前記第１の開状態では、前記スピーカを介して音声を出力し、前記第２の開状態では、前記レシーバを介して音声を出力する構成とする。
【００１５】
開閉型の携帯端末装置は、第２の開状態（第１筐体と第２筐体とが略直線状になる状態）のときに通常の棒状の携帯端末に近い形状になる。この状態が、耳と口を携帯端末装置に近づけて音声通信（会話）をするのに最も適した形態であり、この点を考慮して、第２の開状態では、通信相手の音声をスピーカからではなくレシーバ（受話部）から出力するようにし、快適な音声通信を行えるようにしたものである。
【００１６】
【発明の実施の形態】
以下、本発明の実施の形態について、図面を参照して説明する。
【００１７】
（実施の形態１）
図１（ａ）は、本発明の開閉型の携帯端末装置におけるスピーカの設置形態を説明するための正面図および側面図（連結部については断面構造をも示している）であり、図１（ｂ）は、折り畳み型の携帯端末装置におけるスピーカの設置形態を説明するための斜視図である。
【００１８】
図１（ａ）の開閉型の携帯端末装置は、連結部３００を中心として、第１筐体１０１ａが（第２筐体１０１ｂに対して）、例えば、時計方向に回動可能であり、図１（ａ）では、第１および第２の筐体が略直線状になっている。
【００１９】
スピーカ１０７は、中空の連結部３００内に埋め込まれて設置されている。これにより、開閉型の携帯端末装置に、無理なく大容量のスピーカを設けることができる。開閉型の携帯端末装置の場合、その構造上、連結部の長手方向が第１筐体と第２筐体の厚み方向と一致するため、各筐体の肉厚を合算した長さの空間を無理なく確保することができる。
【００２０】
また、第１筐体１０１ａの表面には表示部１１２ａが設けられている。これにより、各筐体がどのような状態であっても、ユーザーは、表示部１１２ａの表示を見ることができる。
【００２１】
また、同様に、連結部３００内に内蔵されたスピーカは第１筐体１０１ａの表面に露出しているため、常に、表示部１１２ａの前方に音声等を出力することが可能である。
【００２２】
ユーザーが表示部１１２ａを見る場合には、ユーザーの顔が、表示部の前に位置することになるから、この状態で、スピーカから表示部１１２ａの前方の方向に音声（あるいは着信音等の報知音）を発することにより、ユーザーは、明瞭な音声等を聞くことができる。
【００２３】
また、連結部３００は、閉じた状態における第１筐体１０１ａ（および第２筐体１０１ｂ）の横幅のほぼ中央に位置しているため、ユーザーが表示部１１２ａを見ている状態〈顔が表示部正面の前方にある状態〉で、スピーカ１０７が前方に音を発すると、ユーザーの左右の耳にバランスよく届くという効果もある。
【００２４】
また、図１（ｂ）に示される折り畳み型の携帯端末装置は、第２筐体４００ｂに対して第１筐体４００ａが、連結部３０２の中心軸ＡＸを中心として前後に回動可能であり、中空の連結部３０２の中央部に、スピーカ５００が埋め込まれている。
【００２５】
折り畳み型の携帯端末装置では、折り畳まれた状態では、表示を見ることができず、スピーカ５００から前方に音声等を〈直接に〉出力することはできないが、図１（ｂ）のような開いた状態では、図１（ａ）の開閉型の携帯端末と同様の効果を得ることができる。
【００２６】
つまり、中空の連結部３０２の内部にスピーカを設けることで、デッドスペースを利用して大きな容量のスピーカを無理なく設けることができる。また、ユーザーが表示部６００を見る場合には、ユーザーの顔が、表示部の前に位置することになるから、この状態で、スピーカから表示部６００の前方に音声（あるいは着信音等の報知音）を発することにより、ユーザーは、明瞭な音声等を聞くことができる。
【００２７】
また、スピーカ５００が、第１および第２の筐体４００ａ，４００ｂの横幅のほぼ中央に位置しているため、ユーザーが表示部６００を見ている状態〈顔が表示部正面の前方にある状態〉で、スピーカ５００が前方に音を発すると、ユーザーの左右の耳にバランスよく届くという効果もある。
【００２８】
（実施の形態２）
図２は、本発明の実施の形態２に係る携帯端末装置の閉じた状態を示す平面図（正面図）である。図３は、本発明の実施の形態２に係る携帯端末装置の第１の開状態を示す平面図である。図４は、本発明の実施の形態２に係る携帯端末装置の第２開状態を示す平面図である。図５は、図４の状態における携帯端末装置の横断面図である。図６は、図４に示される携帯端末装置の背面図である。図７は、本発明の実施の形態２に係る携帯端末装置の電気的構成を示すブロック図である。
【００２９】
図２〜図７に示すように、本実施の形態の開閉型の携帯端末装置は、筐体１０１と、回動軸部１０２と、アンテナ１０３と、バイブレータ部１０４と、操作部１０５と、受話部（レシーバ）１０６と、スピーカ１０７と、送話部（マイクロフォン）１０８と、カメラ部１０９と、第１ホール素子１１０と、第２ホール素子１１１と、表示部１１２と、永久磁石１１３と、プリント基板１１４とを備えて構成されている。
【００３０】
なお、プリント基板１１４は、図７に示される、送受信部１１５、データ変換部１１６、音声処理部１１７、画像処理部１１８、情報記録部１１９および制御部１２０を有している。
【００３１】
以下、本実施形態の通信端末が有する各構成要素について説明する。
【００３２】
まず、筐体１０１について説明する。筐体１０１は、第１の筐体部材１０１ａおよび第２の筐体部材１０１ｂから構成されている。
【００３３】
第２の筐体部材１０１ｂには第１の筐体部材１０１ａを回動可能に支持する回動軸部１０２が形成され、第１と第２の筐体部材１０１ａ、１０１ｂが重畳した状態から第１の筐体部材１０１ａが回動軸部１０２の軸心を中心にＳ方向へ（或いは第２の筐体部材１０１ｂがＳ方向とは反対方向へ）略１８０度回動可能になっている。
【００３４】
以下の説明では、図１に示すように、第２の筐体部材１０１ｂに対して第１の筐体部材１０１ａが重畳している状態を「閉状態」といい、第１の筐体部材１０１ａが重畳した状態を、図５では２点鎖線で示す。
【００３５】
また、閉状態から、第２の筐体部材１０１ｂに対して第１の筐体部材１０１ａがＳ方向に回動した状態を「開状態」といい、図３に示すように、第１の筐体部材１０１ａと第２の筐体部材１０１ｂとの角度が略９０度の状態を「第１の開状態」という。
【００３６】
また、図４に示すように、第１の筐体部材１０１ａと第２の筐体部材１０１ｂとの角度が略１８０度の状態（或いは直線状に開かれた状態）を「第２の開状態」という。
【００３７】
通常、携帯端末装置の携帯時は閉状態、使用時は開状態で用いられる。
【００３８】
また、本実施の形態では、閉状態のときに第１の筐体部材１０１ａと当接する第２の筐体部材１０１ｂの表面に突起１２１が形成されている。このため、閉状態のときに、第１の筐体部材１０１ａと第２の筐体部材１０１ｂとの間にはクリアランス１２１ａが形成される。
【００３９】
図７に示すように、送受信部１１５は、アンテナ１０３に接続されており、このアンテナ１０３で受信したデータを処理してデータ変換部１１６に伝達するものである。
【００４０】
データ変換部１１６は、受信データを音声データに変換して音声処理部１１７に伝達するものである。音声処理部１１７は、音声データを復号化して音声信号を生成した後、レシーバ１０６やスピーカ１０７に伝達するものである。
【００４１】
レシーバ１０６やスピーカ１０７では、音声処理部１１７から伝達された音声信号に対応する音声を出力するものである。
【００４２】
また、音声処理部１１７は、マイクロフォン１０８が受けた音声を符号化して音声データを生成した後、データ変換部１１６に伝達する。
【００４３】
データ変換部１１６は、伝達された音声データを通信データに変換した後、送受信部１１５に送出する。送受信部１１５は、受け取った通信データを処理し、アンテナ１０３から無線信号の電波として送信する。
【００４４】
また、図７に示すように、カメラ部１０９、表示部１１２は、画像処理部１１８に接続されている。
【００４５】
また、レシーバ１０６、スピーカ１０７およびマイクロフォン１０８は音声処理部１１７に接続されており、音声処理部１１７はデータ変換部１１６に接続されている。
【００４６】
また、制御部１２０は、バイブレータ部１０４、操作部１０５、第１ホール素子１１０、第２ホール素子１１１、送受信部１１５、データ変換部１１６および情報記録部１１９に接続され、これらの構成要素の制御を行う。また、制御部１２０は電池１２２に接続され、電池１２２から電力が供給される。
【００４７】
第１の筐体部材１０１ａには、レシーバ１０６と、スピーカ１０７と、表示部１１２と、永久磁石１１３とが収容されている。
【００４８】
第２の筐体部材１０１ｂには、アンテナ１０３と、バイブレータ部１０４と、操作部１０５と、カメラ部１０９と、送話部（マイクロフォン）１０８と、第１ホール素子１１０と、第２ホール素子１１１と、プリント基板１１４とが収容されている。
【００４９】
アンテナ１０３は、第２の筐体部材１０１ｂの回動軸部１０２近傍に配設されている。バイブレータ部１０４は、着信時に起振することにより着信を振動で報知するものである。
【００５０】
また、操作部１０５は、第１操作部１０５ａ、第２操作部１０５ｂ、第３操作部１０５ｃを有している。
【００５１】
第１操作部１０５ａは、閉状態の際に第１の筐体部材１０１ａと対向する第２の筐体部材１０１ｂの対向側面１０１ｃ（第２の筐体部材の主面）に設けられ、第２操作部１０５ｂは第１の筐体部材１０１ａの正面１０１ｄ（第２の筐体部材と対向する対向面の背面）に設けられ、第３操作部１０５ｃは第２の筐体部材の右側面１０１ｅ（第２の筐体部材の右側面）に設けられている。
【００５２】
使用者は、第１操作部１０５ａを操作して、受話や終話の操作、レシーバ１０６やスピーカ１０７から出力される音量の調節、文字や記号、数字の入力を行うことができる。第２操作部１０５ｂを操作して方向キーとして用いる。
【００５３】
方向キーとは、文字を入力する時に表示されるカーソルを任意の方向に移動させたり、例えば、ＧＰＳ機能を用いて表示部１１２に地図を表示させ、表示される地図を任意の方向に移動させる時に、移動方向を指示するものである。
【００５４】
例えば、図３において、第１の表示部１１２ａにカーソル１１２ｃが表示されている時、第２の操作部１０５ｂの操作ボタン１０５ｄを押圧操作するとカーソル１１２ｃは矢印Ａ方向に移動し、また、操作ボタン１０５ｅを押圧操作するとカーソル１１２ｃは矢印Ｂ方向に移動するなど、スピーカ１０７を中心（図３の状態）にして右側の操作ボタン１０５ｄを押圧操作するとカーソル１１２ｃも同方向（右側）へ、下側の操作ボタン１０５ｅを押圧操作するとカーソル１１２ｃも同方向（下側）へ移動するようになっている。
【００５５】
この機能は、文字を編集したりダウンロードしたゲームで遊戯するときなどに活用される。
【００５６】
第３操作部１０５ｃを操作して、カメラ部１０９を操作（静止画の撮影、動画の撮影開始及び終了）することができる。
【００５７】
カメラ部１０９は回動軸部１０２内に設けられ、第２の筐体部材１０１ｂの主面１０１ｃとは反対側の側面方向が撮像可能になっている。
【００５８】
カメラ部１０９が捉えた被写体からの入射光は、レンズ群１０９ａを通過してＣＣＤ（電荷結合素子）などの光電変換素子１０９ｂにて光信号から電気信号に変換され、画像情報が生成される。
【００５９】
当該画像情報は、画像処理部１１８にて処理された後、第１や第２表示部１１２ａ、１１２ｂで表示される。
【００６０】
また、カメラ部１０９は、複数枚のレンズを使用することにより、収差が少ない良好な画像が得られるようになっている。被写体を光電変換素子に結像させる縮小レンズ系は、単レンズに比べ複数枚の凹凸レンズをくみ合わせることにより歪曲収差(distortion)やコマ収差(coma)、非点収差(astigmatism)など、いろいろな収差を小さくできる。
【００６１】
また、開口径が大きい（Ｆナンバーが小さい）ほど、或いは焦点距離ｆが小さいほど、レンズが作る像を明るくすることができる。反面、レンズ系全体の厚みが増し、カメラ部１０９の長厚化を招く。
【００６２】
そこで、本実施の形態のように筐体１０１が開閉何れの態様であっても第１と第２の筐体部材１０１ａ、１０１ｂが重畳する回動軸部１０２にカメラ部１０９を設けることにより、各々の筐体部材１０１ａ、１０１ｂの厚型化を回避しながら高画質が得られるカメラ部１０９を配置している。
【００６３】
なお、図５において、カメラ部１０９は３枚のレンズからなる光学系として図示してある。
【００６４】
設計においては、結像される画素の大きさ、収差の除去程度などによって条件が決定され、何枚かの正負レンズの組合せで光学系を決定するものであり、ここではカメラ部の概念図として示してある。
【００６５】
特に、像面湾曲（curvature of field）を除去するには低屈折率の負レンズを用いたほうが良く、そのためにはレンズの複数枚化が必須である。
【００６６】
なお、回動軸部１０２以外にカメラ部１０９を収容しようとした場合、収容される何れか一方の筐体部材が厚くなるため、持ち運ぶ時に好適となる閉状態でも厚くなるため、携帯性に不適となる。
【００６７】
カメラ部１０９が撮影した画像情報は、所定の操作をすると情報記録部１１９に記録される。情報記録部１１９は、他にも、電話番号情報や音声情報、撮像した画像の画像情報以外の画像情報（受信した画像情報等）、作成中または送受信したメール等の文字情報を記録することができる。
【００６８】
スピーカ１０７は第２操作部１０５ｂの内側で第１の筐体部材１０１ａの回動中心近傍に設けられ、第１の筐体部材１０１ａの主面１０１ｄから音声が出力される。
【００６９】
このスピーカ１０７は、着信時に着信音を出力することによって、使用者に着信を報知したり、ハンズフリー時に、レシーバ１０６よりも音量の大きい音声を出力するものである。
【００７０】
本実施形態では、１ＫＨｚにおいて約２０ｄＢ（Ａ）の音圧レベル差を有する部品を選択している。
【００７１】
表示部１１２は、第１の表示部１１２ａと第２表示部１１２ｂとからなり、液晶表示器等により構成することが可能であり、文字や記号、数字、画像、地図等を表示するものである。
【００７２】
第１の表示部１１２ａは第１の筐体部材１０１ａの正面１０１ｄ側に設けられている。
【００７３】
第２の表示部１１２ｂは第１表示部１１２ａの背面に設けられている。第１の開状態において、第１の操作部１０５ａを操作するとカメラ部１０９が撮像した撮影画像が第１の表示部１１２ａに表示される。
【００７４】
使用者が使用者自身を撮影したい時にはカメラ部１０９を使用者に向けるとよく、この場合、第１の操作部１０５ａを操作し第２の表示部１１２ｂに撮影画像を生成するようにすればよく、第２の表示部１１２ｂに表示される表示画像を見ることによって写り具合が確認できる。なお、このとき第１の表示部１１２ａには撮影画像は表示されない。
【００７５】
レシーバ１０６は第１の筐体部材１０１ａの正面１０１ｄであって表示部１１２に隣接して設けられており、本実施形態の携帯端末装置を通常の携帯電話として使用する際に音声を出力するものである。
【００７６】
レシーバ１０６から出力される音声は、スピーカ１０７とともに表示部１１２の前方に向けて出力される向きに設けられている。
【００７７】
使用者は、音声通信を受話した時には筐体１０１を第２の開状態とし、所定の受話操作後、レシーバ１０６に耳を当てて音声を聞き取る。
【００７８】
また、ハンズフリーによる通話をする時は、第１の開状態として使用され、通信相手の音声はレシーバ１０６からは出力されず、スピーカ１０７からのみ出力される。マイクロフォン１０８は、第２の筐体部材の主面１０１ｃの回動軸部１０２から遠方側端部に設けられている。
【００７９】
永久磁石１１３は、第１の筐体部材１０１ａのカメラ部１０９近傍に設けられている。
【００８０】
第１ホール素子１１０は、筐体１０１が閉状態のとき永久磁石１１３と対向するように、第２の筐体部材１０１ｂに設けられている。
【００８１】
第２ホール素子１１１は、筐体１０１が第２の開状態のとき永久磁石１１３と対向するように、第２の筐体部材１０１ｂに設けられている。
【００８２】
筐体１０１が閉状態では、永久磁石１１３が第１ホール素子１１０に近接するため、第１ホール素子１１０が永久磁石１１３を検出して制御部１２０に検出信号を与える。
【００８３】
また、筐体１０１が閉状態でなければ、すなわち、開状態であれば永久磁石１１３が第１ホール素子１１０から離隔される。よって、第１ホール素子１１０は永久磁石１１３を検出できないため、第１ホール素子１１０は検出信号を生成しない。
【００８４】
筐体１０１が第２の開状態では、永久磁石１１３が第２ホール素子１１１に近接するため、第２ホール素子１１１が永久磁石１１３を検出して制御部１２０に検出信号を送出する。
【００８５】
即ち、第１ホール素子１１０が永久磁石１１３を検出すると筐体１０１は閉状態であり、検出できなければ開状態である。筐体１０１が開状態である時、さらに、第２ホール素子１１１が永久磁石１１３を検出すると第２の開状態であり、第２ホール素子１１１が永久磁石１１３を検出しなければ第１の開状態である。
したがって、制御部１２０は、第１、第２ホール素子１１０、１１１からの検出信号を受けるか否かによって、第１の筐体部材１０１ａおよび第２の筐体部材１０１ｂの開閉状態を認識することができる。
【００８６】
上述のように構成された本実施形態の携帯端末装置にあっては、第２の開状態では使用者がレシーバ１０６に耳を当てて使用する。
【００８７】
第１の開状態では手に持ってハンズフリーで通話したり、メールを読んだり或いはメールを作成するために文字入力をする時に用いられる。
【００８８】
したがって、閉状態では、筐体１０１の投影面積が最小となり携帯性に好適となる。第１の開状態では、第１の表示部１１２ａが横長方向になるためＶＧＡサイズの画像の表示に好適となる。このため、同じ大きさの表示部１１２ａを縦長方向にした場合よりも、大きな画像で表示することができる。
【００８９】
第２の開状態では、レシーバ１０６とマイクロフォン１０８との間隔が最大となるため、筐体１０１を手に持ちレシーバ１０６近傍を頭部に当てて通話すると口の近傍にマイクロフォン１０８が近づくので、明瞭な音声が聞くことができ、送話も確実となる。
【００９０】
次に、図２〜図８を参照して、本実施形態の携帯端末装置の動作について説明する。
【００９１】
図８は、本発明の実施の形態２に係る携帯端末装置のモード別の機能を説明するための図である。また、図９は、本発明の実施の形態２に係る携帯端末装置の動作を説明するフローチャートである。
【００９２】
図２〜図８において、本実施形態の携帯端末装置に電源が投入された状態では、音声通信モードが開始され、操作部１０５を操作することでモード切替を実行し、非音声通信モードまたはカメラモードで各機能の操作が行えるように構成されている。
【００９３】
図８に示すように、音声通信モードでは、音声および非音声通信の受信待受動作を開始し、着信動作や発信動作を行うことで通信相手と通話をすることができる。
【００９４】
受信待受状態において、筐体１０１が開閉いずれの状態であっても第１の表示部１１２ａに時刻等が表示され、着信した場合には時刻等の表示が消えて相手の発信番号が表示される。
【００９５】
相手の発信番号が名前と共に予め電話帳に登録されているならば、相手の名前が表示される。
【００９６】
音声のみの通信を着信した時は、スピーカ１０７から報知音が出力され、第１または第２の開状態にし受話動作を行うと着信音の出力が停止されなど、詳細の動作は後述する。
【００９７】
非音声通信モードでは、受信待受状態を維持しながら、第１の開状態において、第１の操作部１０５ａより入力した文字情報を第１の表示部１１２ａに表示させ、かつ、送信機能を用いて相手に入力した文字情報や情報記録部１１９に保存されてある音声、非音声（画像等）情報を送信することができる。
【００９８】
メールなどの非音声情報を着信した時には、筐体１０１が開閉何れの状態であっても第１の表示部１１２ａに着信を報知するメッセージが表示される。
【００９９】
開状態において、使用者による所定の操作によって、着信した文字情報や画像情報を第１の表示部１１２ａに表示することができる。
【０１００】
また、音声または非音声通信を行うときには、送信相手を確定するために電話帳機能を利用することができる。即ち、筐体１０１を開状態にし、第１の操作部１０５ａを操作し電話帳機能を用いて相手名を第１の表示部１１２ａに表示させ、選択して確定することができる。
【０１０１】
カメラモードにおいては、カメラ部１０９による撮影は閉状態及び第１の開状態で行える。
【０１０２】
閉状態及び第１の開状態において、カメラ部１０９によって被写体を撮影すると、第１の表示部１１２ａに反鏡像が表示される。
【０１０３】
また、撮影した撮像画像は第３の操作部１０５ｃの操作により静止画または動画として情報記録部１１９に記録できる。
【０１０４】
情報記録部１１９に記録された動画や静止画像を再生するときには、所定の操作を行って、撮影した撮像画像を第１の表示部１１２ａに表示させ、目視することができる。
【０１０５】
この撮影した撮像画像は、電話番号情報に関連付けて電話帳に記憶することができる。画像情報と関連付けられた電話番号から着信があった場合、第１の表示部１１２ａに撮像画像の反鏡像が表示される。
【０１０６】
また、カメラ部１０９が撮像した撮像画像を通信相手に送信もできる。
【０１０７】
使用者自身を写した場合、第１の操作部１０５ａを操作し、撮像画像が表示される表示部１１２を第２の表示部１１２ｂに切り替える。
【０１０８】
前述したように、カメラ部１０９は第２の表示部１１２ｂの前方を撮影するようになっているので、被写体である使用者は、第２の表示部１１２ｂに表示される撮像画像を見て、写り具合を確認することができる。
【０１０９】
次に、図９を用いて、本実施の形態の携帯端末装置におけるスピーカとレシーバの切り替え動作について説明する。
【０１１０】
図９において、本実施の形態の携帯端末装置に電源が投入されて受信待受状態（ステップ１と称し、以下、ステップをＳＴと記す）の時、着信があれば（ＳＴ２）、着信音がスピーカ１０７から出力される（ＳＴ３）。
【０１１１】
次に、受話動作を行う際、筐体が開いていなければ（ＳＴ４）筐体を開状態にする（ＳＴ５）。
【０１１２】
第１の操作部１０５ａを操作し、受話すると（ＳＴ６）、筐体の開状態を判断し（ＳＴ７）、第１の開状態であればスピーカ１０７から音声が出力されて（ＳＴ８）ハンズフリーで行うことができる。
【０１１３】
第２の開状態ではレシーバ１０６から音声が出力される（ＳＴ９）。
【０１１４】
第２の開状態ではレシーバ１０６近傍に耳を当てて受話する。
【０１１５】
終話したい時（ＳＴ１０）は、第１の操作部１０５ａを所定操作したり閉状態にすると、終話し（ＳＴ１１）、受信待受状態（ＳＴ１２）に戻る。
【０１１６】
ＳＴ１０において、通話を継続する時、筐体の態様を確認するためにＳＴ７に戻る。
【０１１７】
ここで、例えば、レシーバ１０６から音声が出力されている時、筐体を第１の開状態に変えると、音声出力はレシーバ１０６からスピーカ１０７に切替わるなど、通話中であっても筐体態様が変われば、音声出力源が変更されるようになっている。使用者は、ハンズフリーへの切替え、解除は、筐体態様を変えるだけで行える。
【０１１８】
図１０に、閉状態、第１および第２の開状態の各々における、スピーカの使用態様をまとめて示す。
【０１１９】
図１０の左側に示すように開状態では、スピーカ１０７は着信音のみを出力する。また、この状態では、ユーザーＸは、図５に示されるカメラ（固体撮像素子）１０９ｂで風景等を撮像し、その画像を表示部１１２ａに表示することができる。
【０１２０】
閉状態で着信すると、ユーザーＸは、図１０の中央に示すように、携帯端末装置を第１の開状態として、ハンズフリーモードで、通信相手と会話することができる。
【０１２１】
ＴＶ電話による通信を行う場合には、表示部１１２ａに通信相手の顔が表示され、ユーザーＸは、その表示を見ながら、会話をすることができる。
【０１２２】
このとき、通信相手の音声はスピーカ１０７から出力され、ユーザーＸの発話音声はマイクロフォン１０８にて集音される。
【０１２３】
また、図１０の右側に示すように、ユーザーＸは、第２の開状態として、音声のみの通信を快適に行うこともできる。
【０１２４】
すなわち、第２の開状態では、第１および第２筐体が直線状になるため、第１筐体の端部に設けられたレシーバ１０６と、第２筐体の端部（スピーカの反対側の端部）に設けられているマイクロフォン１０８との間の間隔が最大となる。よって、ユーザーＸの耳をレシ−バ１０６に近づけると、マイクロフォン１０８の位置もユーザーＸの口と近くなり、音声のみの通話に最適な状態となる。
【０１２５】
このような点を考慮して、第２の開状態では、スピーカ１０７からの会話音声の出力を禁止し、代わりに、レシーバ１０６から会話音声を出力する。
【０１２６】
図１１に、このような、スピーカとレシーバの切り替え制御を行うための構成を示す。
【０１２７】
図１１において、制御部１２０には、切替回路６５０が設けられており、この切替回路６５０は、ホール素子１１０，１１１や操作部１０５からの信号に基づいて携帯端末装置の開閉状態や動作状態を判定し、スイッチＳＷ１，ＳＷ２を制御する。これにより、図１０の下側に示されるような、スピーカ，レシーバおよびマイクのオン／オフ制御が行われる。
【０１２８】
なお、音声処理部１１７は、音声再生回路７００や、Ａ／Ｄ変換器７０２、アンプ７０４を具備する。
【０１２９】
【発明の効果】
以上説明したように本発明によれば、携帯端末装置において、十分な音量のスピーカを無理なく内蔵すると共に、そのスピーカの効果的な利用を実現することができる。
【図面の簡単な説明】
【図１】（ａ）本発明の実施の形態１に係る開閉型の携帯端末装置におけるスピーカの設置形態を説明するための正面図および側面図
（ｂ）本発明の実施の形態１に係る折り畳み型の携帯端末装置におけるスピーカの設置形態を説明するための斜視図
【図２】本発明の実施の形態２に係る携帯端末装置の閉状態を示す平面図
【図３】本発明の実施の形態２に係る携帯端末装置の第１の開状態を示す平面図
【図４】本発明の実施の形態２に係る携帯端末装置の第２の開状態を示す平面図
【図５】図４の状態における携帯端末装置の横断面図
【図６】図４の状態における携帯端末装置の背面図
【図７】本発明の実施の形態２に係る携帯端末装置の電気的構成を示すブロック図
【図８】本発明の実施の形態２に係る携帯端末装置のモード別の機能を説明するための説明図
【図９】本発明の実施の形態２に係る携帯端末装置の動作を示すフローチャート
【図１０】本発明の実施の形態２に係る携帯端末装置の、閉状態、第１および第２の開状態の各々におけるスピーカの使用態様をまとめて示す図
【図１１】本発明の実施の形態２に係る携帯端末装置における、スピーカとレシーバの切り替え制御を行うための構成を示す図
【符号の説明】
１０１  筐体
１０１ａ  第１筐体部材
１０１ｂ  第２筐体部材
１０１ｃ  第２の筐体部材の主面
１０１ｄ  第１の筐体部材の正面
１０１ｅ  第２の筐体部材の右側面
１０２  回動軸部
１０３  アンテナ
１０４  バイブレータ部
１０５  操作部
１０５ａ  第１の操作部
１０５ｂ  第２の操作部
１０５ｃ  第３の操作部
１０５ｄ、１０５ｅ  操作ボタン
１０６  レシーバ
１０７  スピーカ
１０８  マイクロフォン
１０９  カメラ部
１０９ａ  レンズ群
１０９ｂ  光電変換素子
１１０  第１ホール素子
１１１  第２ホール素子
１１２  表示部
１１２ａ  第１の表示部
１１２ｂ  第２表示部
１１２ｃ  カーソル
１１３  永久磁石
１１４  プリント基板
１１５  送受信部
１１６  データ変換部
１１７  音声処理部
１１８  画像処理部
１１９  情報記録部
１２０  制御部
１２１  突起
１２１ａ  クリアランス
１２２  電池
３００  連結部
４００ａ  第１筐体
４００ｂ  第２筐体
３０２  連結部
５００  スピーカ
６００  表示部
６０１，６０２  操作部
【図１】
2004201153.tif 000003
【図２】
2004201153.tif 000004
【図３】
2004201153.tif 000005
【図４】
2004201153.tif 000006
【図５】
2004201153.tif 000007
【図６】
2004201153.tif 000008
【図７】
2004201153.tif 000009
【図８】
2004201153.tif 000010
【図９】
2004201153.tif 000011
【図１０】
2004201153.tif 000012
【図１１】
2004201153.tif 000013